(57)【要約】      （修正有）【課題】ペットの毛や羽毛も含め衣服に付着したゴミや埃を容易に除去できる簡易な構成の衣服用ブラシを提供する。【解決手段】短傾斜パイル群１ａからなるブラシ面１を片面に有する衣服用ブラシにおいて、短パイル群のブラシ面の背面に接して、ゴム製スポンジ、合成樹脂製スポンジ、海綿、紙製フェルトのいずれかから成る保液性多孔質体２を設けた構成からなることを特徴とする。【選択図】図１
0003104210.tif 000002
【実用新案登録請求の範囲】
【請求項１】
短パイル群からなるブラシ面を片面に有する衣服用ブラシにおいて、短パイル群のブラシ面の背面に接して保液性多孔質体を設けた構成からなることを特徴とする衣服用ブラシ。
【請求項２】
前記短パイル群が傾斜パイル群から構成されることを特徴とする請求項１記載の衣服用ブラシ。
【請求項３】
前記保液性多孔質体の背面に液タンクを設け、該液タンクから１以上の給液口を該多孔質体の背面に接触させている構成からなることを特徴とする請求項１又は２記載の衣服用ブラシ。
【請求項４】
前記保液性多孔質体がゴム製スポンジ、合成樹脂製スポンジ、海綿、紙製フェルトのいずれかから構成されていることを特徴とする請求項１乃至３のいずれかに記載の衣服用ブラシ。
【考案の詳細な説明】
【技術分野】
【０００１】
本考案は、衣服等についたゴミや埃等を取り除くのみならず、ペットの犬、猫、鳥等の毛、羽毛等を取り除くための衣服用ブラシに関するものである。
【背景技術】
【０００２】
従来、衣服等についたゴミや埃を除去するために、短い傾斜パイルを利用した衣服用ブラシが提供されている。このような衣服用ブラシとして表面に傾斜パイルを設けたものが多く、普通のゴミや埃を除去する点においては問題がなかった。しかし、毛糸編み衣類には、この種のブラシが使えないし、毛足の長い毛糸編みの衣類を重ね着したとき、長い毛が他の衣類に付着することがあり、これを除去するために粘着剤を塗布した面を有するブラシ代替品が開示されている。（特許文献１参照）
【特許文献１】特開平１１−２５３３８３号公報
【考案の開示】
【考案が解決しようとする課題】
【０００３】
近年において核家族化や少子、高齢化社会の到来に歩調を合わせ、癒しの効果を期待して、愛玩動物、いわゆる犬、猫、鳥等のペットを家庭内で飼育することが増えてきている。これらペットを身近に置いて大切に取り扱い、慰みとする場合、ペットを抱き上げたり、抱きかかえたりする機会が多く、その時にペットの毛、羽毛が衣服に付着することが多い。これらの付着した毛や羽毛は毛足が長く、かつ、太さが微細なものが多く、通常の衣服用ブラシでブラッシングしても、綺麗に取れなかったり、一旦除去してもまた再付着するなど完全に除去することが困難であった。また、特許文献１の技術はそれなりに評価できるが、粘着剤を塗布した面を必要とし、又取替えする手間、費用等において問題があった。
【０００４】
本考案は、上記の問題点を解消するために為したものであって、その目的は、ペットの毛や羽毛も含め衣服に付着したゴミや埃を容易に除去できる簡易な構成の衣服用ブラシを提供するものである。      
【課題を解決するための手段】
【０００５】
上記の目的を達成するために、本考案（請求項１）に係る衣服用ブラシは、短パイル群からなるブラシ面を片面に有する衣服用ブラシにおいて、短パイル群のブラシ面の背面に接触させて保液性多孔質体を設けた構成からなることを特徴とする。また、本考案（請求項２）に係る衣服用ブラシは、請求項１記載の衣服用ブラシにおいて、前記短パイル群が傾斜パイル群から構成されることを特徴とする。
【０００６】
短パイル群からなるブラシ面を湿潤状態にしてブラッシングすると、ゴミや埃のみならず、毛や羽毛の類までもブラシ面に付着して効率よく除去することができる。ブラシ面の短パイル群を湿潤状態に保ち、すなわち、濡れ過ぎて衣服に液分が移らない程度に液が滲み出した状態にすると除去効果が大きい。このため液を内部に保有し、かつ、垂れない状態の保液性多孔質体を短パイル群のブラシ面背面のほぼ全面に亘り接触させて設ける構成にすると、保液性多孔質体の保有している液が毛管現象で短パイル群を植立したブラシ面に浸透して短パイル群を湿潤状態に維持する。液の役目は、ゴミ、埃、毛、羽毛等が短パイル群に付着することを促進し、また、静電気の発生を防止して、又は逃がすことにより、ゴミ、埃、毛、羽毛等を付着し易く、再飛散しない環境を構築する。この液としては、水だけでもよいし、また、界面活性剤を含んだ水でもよい。短パイル群を傾斜パイルにすることにより、ゴミ、埃、毛、羽毛等を除去するのに傾斜パイルの方向にブラッシングすれば、その除去効果は大きくなる。保液性多孔質体への液の補給は、保液性多孔質体をブラシから取り出し、液中に浸漬したのち適当に絞ったものを再度ブラシに装入するか、保液性多孔質体に液を滴下して滲み込ませた後再度ブラシに装入することを行えばよい。また、衣服用ブラシの中でも、ハンディ型ブラシ又はミトン型ブラシの場合は、ブラシ全体を液中に浸漬した後、適宜絞ることにより液を補給することも可能である。
【０００７】
また、本考案（請求項３）に係る衣服用ブラシは、請求項１又は２記載の衣服用ブラシにおいて、前記保液性多孔質体の背面に液タンクを設け、該液タンクから１以上の給液口を該保液性多孔質体の背面に接触させている構成からなることを特徴とする。
【０００８】
図３に示すような柄付き衣服用ブラシの場合には、短パイル群からなるブラシ面と短パイル群のブラシ面に接する保液性多孔質体と保液性多孔質体に１以上の給液口が接触している液タンクをサンドウィッチ状に重ねて構成した場合に、ブラシ面を常に湿潤状態に維持することが可能となる。
【０００９】
また、本考案（請求項４）に係る衣服用ブラシは、請求項１乃至３のいずれかに記載の衣服用ブラシにおいて、前記保液性多孔質体がゴム製スポンジ、合成樹脂製スポンジ、海綿、紙製フェルトのいずれかで構成されていることを特徴とする。
【考案の効果】
【００１０】
以上説明したように、本考案に係る衣服用ブラシは、簡易な構成で衣服に付着したゴミや埃のみならず、愛玩動物などの毛や羽毛の類までもブラシ面に付着させて効率よく除去することができる。また、本考案に係る衣服用ブラシは、使用する時、場所を考慮して、ハンディ型衣服用ブラシ、ミトン型衣服用ブラシ、柄付きブラシと適宜適用することができる。さらに、衣服用ブラシとして、美感性、ファッション性を持たすことも可能で、経済的な実用性のある家庭用小道具とすることができる。
【考案を実施するための最良の形態】
【００１１】
以下、本考案の実施形態を図面に基づいて説明する。図１は、本考案の実施の形態に係るハンディ型衣服用ブラシのブラシ面を見た斜視図（ａ）、甲側の斜視図（ｂ）、Ａ−Ａ断面図（ｃ）である。図２は、本考案の別の実施の形態に係るミトン型衣服用ブラシのブラシ面を見た斜視図（ａ）、甲側の斜視図（ｂ）である。図３は、本考案の別の実施の形態に係る柄付き衣服用ブラシのブラシ面を見た斜視図（ａ）、甲側の斜視図（ｂ）である。
【００１２】
本考案に係る衣服用ブラシの実施形態としては、ハンディ型衣服用ブラシ、ミトン型衣服用ブラシ、柄付き衣服用ブラシと主として三つの形態がある。
【００１３】
ハンディ型衣服用ブラシは、図１に示すように、ブラシ面１とカバー地９とを周縁を縫製した密閉袋状を呈しており、カバー地９には手指を差し込んで、ハンディ型衣服用ブラシをブラッシング方向に擦り易くするための指通し口７が設けられている。ブラシ面１からカバー地９へは、サンドウィッチ状に保液性多孔質体２と当て板３が存在する。ブラシ面１は、通常挿入された手指の方向に傾斜パイル群１ａが多条に構成され、傾斜パイル群１ａの傾斜方向は手指の方向と直交する方向が通常である。傾斜パイル群１ａの素材は、ポリエステル、ナイロン又はポリプロピレン製がよく、液に湿潤しても腰が折れにくい性質、即ち衣服用ブラシに求められるゴミや毛等をすくい上げ除去する機能を損なわない素材がよい。また、傾斜パイル群１ａは、短い立毛群からなる方がブラシ面１の背面からの保液性多孔質体２からもたらされる液により全体の立毛群にわたり湿潤し易く、本考案の衣服用ブラシの機能がよく発揮できる。また、傾斜パイル群１ａの傾斜の方向は、ハンディ型衣服用ブラシの指通し口７に挿入された手指と直交方向であればよく、傾斜の方向は一方向に揃ったものがよい。
【００１４】
傾斜パイル群１ａのブラシ面１に接している保液性多孔質体２は、液を多孔質体中に保有し、液が簡単に漏れないような連泡気孔を有するスポンジ状の素材であればよく、ゴム製スポンヂ、合成樹脂製スポンヂ、海綿あるいはスポンジに準ずる紙製フェルトなどを用いればよい。形状としては、ハンディ型衣服用ブラシのカバー生地に設けてある挿入口１０から挿入できる幅で、ブラシ面１のほぼ全面積と接触する大きさが望ましく、厚みも液の保有量にとってを左右されるが、３〜１０ｍｍの範囲がよい。液質としては、傾斜パイル材と馴染み易く、かつ、ゴミ、埃、毛や羽毛等が傾斜パイル材に付着し易く、静電気等に伴う再飛散が生じにくい、また、衣服の生地等を傷めない液質が適しており、この液として水や微量の界面活性剤を含んだ水溶液がよい。
【００１５】
保液性多孔質体２の背面全体に亘って存在する当て板３は、液に湿潤されなくて有る程度の硬さのある材質の板が望ましく、通常合成樹脂製の１〜２ｍｍ厚の板がよい。これが存在すると、保液性多孔質体２からの液の浸透を防止して、カバー生地を濡らさないし、また、ブラシを使用する場合に、手指の局部的な圧下をやわらげ保液性多孔質体２を押し付け過ぎて過剰に液が出ることを抑制する。また、ブラシ面１を均一に衣服に当て易くしてブラッシングできる効用もある。
【００１６】
ミトン型衣服用ブラシは、図２に示すように、ミトン形状に作製されている。ハンディ型衣服用ブラシと構造的に異なる点のみを説明すると、保液性多孔質体２の形状は、ミトンのカバー地９にある挿入口１０から挿入する場合には、親指部分を欠落した手掌形状にするのがよく、また、同多孔質体を抜き差ししない場合には、手掌形状にすることができる。短い傾斜パイル群１ａも図２（ａ）のように全体に設けるのがブラッシングの効用の点でも望ましい。
【００１７】
柄付衣服用ブラシは、図３に示すように、柄８がつき、かつ、楕円形の開口部とその開口部とブラシ本体６の背部とで形成される内部空間を有するブラシ本体６と、開口部周縁部に嵌合するブラシ面１から構成される。短い傾斜パイル群１ａのブラシ面１の内側には保液性多孔質体２を接して設け、また、保液性多孔質体２の背面には、１以上の給液口４ａを有する液タンク４を設ける。該液タンク４はブラシ本体６の内側に接着して構成することができ、また、該液タンク４の給液部はブラシ本体６を貫通する補給液管５ａと補給液栓５ｂとを設ける。補給液栓５ｂには外気が流入する微細孔を設けて液タンク４から給液口４ａを経て保液性多孔質体２に排出される液の給液を容易にし、かつ、液量を調節することも可能となる。保液性多孔質体２の背面に設ける当て板３は、液タンク４がブラシ面１の背面を覆う大きさであれば、それで代用できるし、また、液タンク４が小さければ当て板３を設けてもよい。
【００１８】
本考案に係る衣服用ブラシを用いたブラッシングを説明すると、まず保液性多孔質体２に液を含ませるが、本考案に係るハンディ型又はミトン型衣服用ブラシの場合には、保液性多孔質体２をブラシの挿入口１０から取り出して液に浸漬し、次いで、液が垂れない程度に絞ってからブラシに戻す。別の方法としてブラシ面１だけを液に漬けることにより保液性多孔質体２に液を含ませることも可能である。保液性多孔質体２はブラシ内部にあり、かつ、使用時以外の液の損失はブラシ面１からの自然蒸発だけであるから再三再四補給する必要はない。また、柄付衣服用ブラシの場合には、液タンク４に給液すれば、液タンク４から保液性多孔質体２に給液ができる。いずれの衣服用ブラシでも、保液性多孔質体２に液を含有させることで、傾斜パイル群１ａからなるブラシ面１を湿潤させることができる。
【００１９】
湿潤した傾斜パイル群１ａからなるブラシ面１を用いて、衣服の表面を傾斜パイル群１ａの傾斜方向に向けてブラッシングすれば、ゴミ、埃、毛や羽毛等が湿潤されたブラシ面１により濡れ又は湿り、傾斜パイル群１ａに掬い取られて容易に付着除去することができ、かつ、一旦付着除去されたゴミ等は湿り、かつ、静電気が無いので再飛散することがない。さらに、ブラシ面１に付着除去されたゴミ等は手や別の布地等で傾斜パイル群１ａの傾斜の逆方向に撫でれば容易に除去することも可能であり、常にブラシ面１を清潔に、かつ、湿潤状態を維持することができる。これらの付着除去する効果はゴミ、埃、毛や羽毛等と傾斜パイル群１ａとの間で液が媒介することにより表面張力による付着力の増加がもたらすものであり、また、静電気の影響を無くすことは、濡れによる静電気の発生の予防や発生した静電気を接地して逃がすことによるものと推定される。
【００２０】
本考案に係るハンディ型衣服用ブラシは携帯が容易であり、ブラシを密閉する袋にでも入れておけば液の蒸発がなく、かつ、周囲の物を湿らすこともなく、本来の衣服用ブラシの効果を十分発揮することができる。また、柄付衣服用ブラシは家庭をはじめ備え付けることに適し、ブラシ面１もより大きいから衣服をブラッシングするのに能率がよい。ミトン型衣服用ブラシは前述した二つの衣服用ブラシの中間に位置するブラシである。
【００２１】
前述したように、本考案に係る衣服用ブラシは簡単な構成を採用することにより、従来除去し難かった愛玩動物の毛や羽毛も容易に除去できる効果を有するので、日常生活において十分貢献できる道具である。
【産業上の利用可能性】
【００２２】
本考案に係る衣服用ブラシは、ゴミや埃のみならず、愛玩動物である、犬、猫、鳥等の毛や羽毛等が衣服についても容易に除去することができることから、別途、家畜飼育における面での用途の拡大が期待できる。
【図面の簡単な説明】
【００２３】
【図１】本考案の実施形態に係るハンディ型の衣服用ブラシのブラシ面を見た斜視図（ａ）、甲側の斜視図（ｂ）、Ａ−Ａ断面図（ｃ）である。
【図２】本考案の別の実施形態に係るミトン型の衣服用ブラシのブラシ面を見た斜視図（ａ）、甲側の斜視図（ｂ）である。
【図３】本考案の別の実施形態に係る衣服用ブラシのブラシ面を見た斜視図（ａ）、甲側の斜視図（ｂ）である。
【符号の説明】
【００２４】
１：ブラシ面      １ａ：傾斜パイル群    ２：保液性多孔質材      ３：当て板
４：液タンク      ４ａ：給液口            ５ａ：補給液管      ５ｂ：補給液栓    ６：ブラシ本体      ７：指通し口          ８：柄            ９：カバー地        １０：挿入口      １１：手
【図１】
0003104210.tif 000003
【図２】
0003104210.tif 000004
【図３】
0003104210.tif 000005